(57)【要約】【課題】被支持体を所望の位置に容易に取り付けることが可能な仕切ユニットを提供する。【解決手段】支柱に固定される支持部材と、前記支持部材を介して前記支柱に沿って支持される被支持体と、を有し、前記支持部材は、前記被支持体が載置される載置部と、前記載置部より上に位置し前記支柱と見込み方向に間隔を空けて配置され前記被支持体の下部と係合する係合部と、を有し、前記下部は、前記支柱と前記係合部との間に挿入される挿入部を有し、前記挿入部は、前記被支持体が前記支柱に対して傾斜して前記載置部に載置された状態で、前記支柱及び前記係合部の少なくともいずれか一方との間に空隙を有し、前記被支持体が前記支柱に沿って前記被支持体が前記載置部に載置された状態で前記挿入部が前記支柱と前記係合部とに挟持される。【選択図】図６
2018145736.tif 000002
【特許請求の範囲】
【請求項１】
支柱に固定される支持部材と、
前記支持部材を介して前記支柱に沿って支持される被支持体と、
を有し、
前記支持部材は、前記被支持体が載置される載置部と、前記載置部より上に位置し前記支柱と見込み方向に間隔を空けて配置され前記被支持体の下部と係合する係合部と、
を有し、
前記下部は、前記支柱と前記係合部との間に挿入される挿入部を有し、
前記挿入部は、前記被支持体が前記支柱に対して傾斜して前記載置部に載置された状態で、前記支柱及び前記係合部の少なくともいずれか一方との間に空隙を有し、
前記被支持体が前記支柱に沿って前記被支持体が前記載置部に載置された状態で前記挿入部が前記支柱と前記係合部とに挟持されることを特徴とする仕切ユニット。
【請求項２】
請求項１に記載の仕切ユニットであって、
前記下部は、前記被支持体が前記支柱に沿った状態で、前記支柱に当接される支柱当接部を有し、
前記支柱当接部より下の部位の見込み方向における幅は、前記支柱と前記係合部との間隔より狭いことを特徴とする仕切ユニット。
【請求項３】
請求項２に記載の仕切ユニットであって、
前記支柱当接部より下の部位は、前記支柱当接部より下の部位の見込み方向における幅が、前記支柱当接部から漸次狭くなる傾斜面又は曲面をなしていることを特徴とする仕切ユニット。
【請求項４】
請求項２または請求項３に記載の仕切ユニットであって、
前記下部は、前記被支持体が前記支柱に対して傾斜して前記支柱当接部が前記支柱に当接された状態で、前記係合部と上下方向において重なるように前記支柱と反対側に突出して当該係合部と係合する突起を有し、
前記被支持体が前記支柱に沿って前記載置部に載置された状態で、前記突起が前記係合部の下に位置していることを特徴とする仕切ユニット。
【発明の詳細な説明】
【技術分野】
【０００１】
本発明は、支持部材を介して支柱に支持される被支持体を有する仕切ユニットに関する。
【背景技術】
【０００２】
支持部材を介して支柱に支持される被支持体を有する仕切ユニットとしては、例えば、横桟材と縦桟材とを格子状に連結した被支持体としてのフェンス本体を、平行に立設した複数の支柱に仮止めした受け金具に架設し、フェンス本体の位置調整をした後に受け金具を固定するビス等を緊締することによりフェンス本体が強固に支柱に取り付けられるフェンスが知られている（例えば、特許文献１参照）。
【先行技術文献】
【特許文献】
【０００３】
【特許文献１】特開２００２−１９４９２６号公報
【発明の概要】
【発明が解決しようとする課題】
【０００４】
上記フェンスは、受け金具を固定するビス等を緊締することによりフェンス本体が強固に支柱に取り付けられるため、受け金具を緊締した後にはフェンス本体を位置調整することができない。このため、フェンス本体の位置を調整する場合には、受け金具を支柱に仮止めした状態にて、一旦フェンス本体を架設して位置調整をした後にビス等を緊締しなければならず、作業が繁雑である。また、位置調整後に受け金具を緊締した際に受け金具がビス等と連れ回りしてしまうと、フェンス本体の位置がずれる或いは、傾きが生じる虞があった。
【０００５】
本発明は、かかる課題に鑑みてなされたものであり、その目的とするところは、被支持体を所望の位置に容易に取り付けることが可能な仕切ユニットを提供することにある。
【課題を解決するための手段】
【０００６】
かかる目的を達成するために本発明の仕切ユニットは、支柱に固定される支持部材と、前記支持部材を介して前記支柱に沿って支持される被支持体と、を有し、前記支持部材は、前記被支持体が載置される載置部と、前記載置部より上に位置し前記支柱と見込み方向に間隔を空けて配置され前記被支持体の下部と係合する係合部と、を有し、前記下部は、前記支柱と前記係合部との間に挿入される挿入部を有し、前記挿入部は、前記被支持体が前記支柱に対して傾斜して前記載置部に載置された状態で、前記支柱及び前記係合部の少なくともいずれか一方との間に空隙を有し、前記被支持体が前記支柱に沿って前記被支持体が前記載置部に載置された状態で前記挿入部が前記支柱と前記係合部とに挟持されることを特徴とする仕切ユニットである。
【０００７】
このような仕切ユニットによれば、被支持体は、支柱に対して傾斜して支持部材の載置部に載置された状態で、下部が有する挿入部が、支柱及び係合部の少なくともいずれか一方との間に空隙を有しているので、傾斜している状態では、挿入部を支柱と係合部との間に容易に挿入することが可能であり、また、支柱に対して容易に移動させることが可能なので、支柱に対する位置を容易に調整することが可能である。また、被支持体を支柱に沿わせることにより、被支持体が載置部に載置された状態で挿入部が支柱と係合部とに挟持されるので、被支持体を支柱に沿わせた位置で容易に固定することが可能である。このため、被支持体を所望の位置に容易に取り付けることが可能な仕切ユニットを提供することが可能である。
【０００８】
かかる仕切ユニットであって、前記下部は、前記被支持体が前記支柱に沿った状態で、前記支柱に当接される支柱当接部を有し、前記支柱当接部より下の部位の見込み方向における幅は、前記支柱と前記係合部との間隔より狭いことが望ましい。
このような仕切ユニットによれば、被支持体の下部は、被支持体が支柱に沿った状態で、支柱に当接される支柱当接部より下の部位の見込み方向の幅が、支柱と係合部との間隔より狭いので、支柱当接部が支柱に当接されるまでは、挿入部を支柱と係合部との間に容易に挿入することが可能である。このため、支柱に設けられた支持部材上に容易に載置することが可能な被支持体を提供することが可能である。
【０００９】
かかる仕切ユニットであって、前記支柱当接部より下の部位は、前記支柱当接部より下の部位の見込み方向における幅が、前記支柱当接部から漸次狭くなる傾斜面又は曲面をなしていることが望ましい。
【００１０】
このような仕切ユニットによれば、被支持体の下部は、支柱当接部より下の部位の見込み方向における幅が、支柱当接部から漸次狭くなる傾斜面又は曲面をなしているので、被支持体の上部が支柱に近づくように被支持体を回動させて、被支持体を傾斜状態から支柱に沿う状態に、容易に姿勢を変えることが可能である。
【００１１】
かかる仕切ユニットであって、前記下部は、前記被支持体が前記支柱に対して傾斜して前記支柱当接部が前記支柱に当接された状態で、前記係合部と上下方向において重なるように前記支柱と反対側に突出して当該係合部と係合する突起を有し、前記被支持体が前記支柱に沿って前記載置部に載置された状態で、前記突起が前記係合部の下に位置していることが望ましい。
【００１２】
このような仕切ユニットによれば、被支持体の下部が有する突起は、被支持体が支柱に対して傾斜して当接部が支柱に当接された状態で、係合部と上下方向において重なるように支柱と反対側に突出して当該係合部と係合し、被支持体が支柱に沿って載置部に載置された状態では係合部の下に位置している。このため、被支持体が支柱に沿って載置部に載置されるには、下部の突起を有する部位が、支柱と係合部との間を通過して被支持体が降下しなければならない。被支持体が降下する際には、突起を有する部位が支柱と係合部との間を通過する際に負荷が生じるため、被支持体の施工者は負荷が増大することにより突起を有する部位が支柱と係合部との間を通過したことを認識することが可能である。このため、被支持体をより確実に載置部に載置することが可能な、施工性に優れた仕切ユニットを提供することが可能である。
【発明の効果】
【００１３】
本発明によれば、被支持体を所望の位置に容易に取り付けることが可能な仕切ユニットを提供することが可能である。
【図面の簡単な説明】
【００１４】
【図１】本実施形態に係るフェンスを示す斜視図である。
【図２】本実施形態に係るフェンスを示す縦断面図である。
【図３】図２におけるＡ部の拡大図である。
【図４】支柱に対して傾斜させたフェンス本体を示す斜視図である。
【図５】下端部が支柱と係合部との間に挿入される状態を示す縦断面図である。
【図６】フェンス本体が傾斜し下胴縁が支持部材に載置された状態を示す縦断面図である。
【図７】下胴縁の変形例を示す縦断面図である。
【発明を実施するための形態】
【００１５】
以下、本発明に係る仕切ユニットの一実施形態としてフェンスを例に挙げ図面を参照して説明する。
図１、図２に示すように、本実施形態の仕切ユニットとしてのフェンス１は、例えば、空間を仕切るパネルやラチスなどの仕切材２１と、仕切材２１の上縁に設けられている上胴縁２２と、仕切材２１の下縁に設けられている下胴縁２３と、を有する被支持体としてのフェンス本体２、地面から立設されフェンス本体２の一方の面側に配置される支柱３、支柱３に固定されてフェンス本体２を支持する支持部材４、及び、支柱３の上端部と上胴縁２２とを連結する連結部材５を有している。
【００１６】
以下の説明においては、フェンス１が設置されている状態で、上下となる方向を上下方向、左右となる方向を幅方向、仕切材２１がなす面と直交する方向を面外方向または見込み方向として示す。フェンス１の各部位であっても、また、フェンス１を構成する各部材については単体の状態であっても、フェンス１が設置されている状態にて上下方向、幅方向、面外方向または見込み方向にて方向を特定して説明する。また、フェンス１において、仕切材２１に対して支柱３が取り付けられている側を内側、反対側を外側として示す。
【００１７】
支柱３は、断面が矩形状をなす中空部材であり、下端側が地中に打ち込まれて立設される。本実施形態の場合には、フェンス１の幅方向に間隔を空けて立設されている２本の支柱３にフェンス本体２が支持されている。断面が矩形状をなす支柱３の一つの側面３ａに支持部材４が固定され、支柱３に沿って支持部材４に載置されたフェンス本体２が支持される。
【００１８】
支持部材４は、支柱３の幅とほぼ同じ幅を有するステンレス製の部材であり、図３に示すように、支柱３の鉛直な側面３ａにビス止めされる固定板部４ａと、固定板部４ａの上縁から外側に向かって延出されて水平面をなしてフェンス本体２が載置される載置部４ｂと、載置部４ｂの外側の端から上方に延出された上方延出部４ｃと、上方延出部４ｃの上端から内側に向かって延出され、下胴縁２３と係合する係合部４ｄと、を有している。また、支持部材４には、上方延出部４ｃから載置部４ｂ及び固定板部４ａにわたる補強リブ４ｅが形成されている。
【００１９】
固定板部４ａには、支柱３にビス止めされたときに支柱３と対向する対向面４ｆに、内側に突出させて支柱３に設けられた孔に挿入され、支持部材４の位置決め及び回り止めとして機能するダボ４ｇが設けられている。また、係合部４ｄの先端は、上側が面取りされた面取り部４ｈを有している。
【００２０】
連結部材５は、支柱３の幅とほぼ同じ幅を有し、上胴縁本体２２ａの外側面２２ｄと対向する外側壁部５ａと、外側壁部５ａを繋がって上胴縁本体２２ａと支柱３との上に架け渡される掛け渡し部５ｂとを有し、Ｌ字状をなす部材である。連結部材５は、外側壁部５ａが上胴縁２２の外側面２２ｄと対向するように、上胴縁本体２２ａ及び支柱３上に被せるように配置され、連結部材５によりフェンス本体２を支柱３側に引き寄せ、支柱３に沿った状態で掛け渡し部５ｂが支柱３にビス止めされることによりフェンス本体２の上部が支柱３に保持される。
【００２１】
本実施形態の仕切材２１は、パネル状をなし、上縁には、左右方向に沿って仕切材２１の幅の全長にわたって上胴縁２２が固定されており、下縁には、左右方向に沿って仕切材２１の幅の全長にわたって下胴縁２３が固定されてフェンス本体２をなしている。すなわち、下胴縁２３がフェンス本体２の下部をなしている。
【００２２】
上胴縁２２は、押出成形材であり、断面形状がほぼ矩形状をなす中空の上胴縁本体２２ａと、上胴縁本体２２ａの下面から垂設されて仕切材２１が取り付けられる上固定部２２ｂと、を有している。ほぼ矩形状の上胴縁本体２２ａを形成する一方の側壁は、鉛直な平面をなしており、支柱３の側面３ａに当接される上支柱当接面２２ｃとなる。
【００２３】
下胴縁２３は、押出成形材であり、断面形状がほぼ矩形状をなす中空の下胴縁本体２３ａと、下胴縁本体２３ａの上面から立設されて仕切材２１が取り付けられる下固定部２３ｂと、を有している。ほぼ矩形状の下胴縁本体２３ａを形成する一方の側壁は、鉛直な平面をなしており、支柱３の側面３ａに当接される下支柱当接面２３ｃとなる。本実施形態においては、下支柱当接面２３ｃが、被支持体としてのフェンス本体２が支柱３に沿った状態で、フェンス本体２の下部をなす下胴縁２３において支柱３に当接される支柱当接部に相当する。
【００２４】
下胴縁本体２３ａの下面２３ｄには、見込み方向における中央に位置させて、下方に向かって開放され上方に窪む溝部２３ｅが、フェンス本体２の幅方向に沿って設けられている。このため、図３に示すように、下胴縁本体２３ａの下端側は、見込み方向において、溝部２３ｅを挟み外側に位置する外端部２３ｆと内側に位置する内端部２３ｇとに分かれている。
【００２５】
内端部２３ｇは、フェンス本体２が支柱３に取り付けられた状態で、下支柱当接面２３ｃから繋がる内側下壁部２３ｈが、下方に向かって支柱３との間隔が広がる傾斜をなしている。内側下壁部２３ｈの下縁は、内端部２３ｇにおいて下胴縁本体２３ａの下面２３ｄを形成する内下面部２３ｉと繋がっており、フェンス本体２が支柱３に沿って取り付けられたときには、内下面部２３ｉが支持部材４の載置部４ｂに載置される。内下面部２３ｉが載置部４ｂに載置された状態では、内側下壁部２３ｈの上端は、支持部材４の係合部４ｄより上に位置している。
【００２６】
内下面部２３ｉの外側に縁は、溝部２３ｅの内側の壁を形成する溝内壁部２３ｊと繋がっている。溝内壁部２３ｊは、上側のほぼ半分がほぼ鉛直に形成された溝内鉛直壁部２３ｋと、下側のほぼ半分が下方に向かって支柱３との間隔が狭くなる傾斜を有する溝内傾斜壁部２３ｌと、をなし、溝内鉛直壁部２３ｋと溝内傾斜壁部２３ｌとの境界部分には、溝部２３ｅの内方に向かい溝内傾斜壁部２３ｌの傾斜に沿って突出する突起２３ｍが設けられている。
【００２７】
フェンス本体２が支柱３に沿った状態において、下胴縁２３の内下面部２３ｉの下面２３ｄから突起２３ｍの頂部までの高さＨ１は、支持部材４の載置部４ｂの上面から係合部４ｄの下面までの高さＨ２より僅かに高く、下胴縁２３の内下面部２３ｉの下面２３ｄから溝部２３ｅの底をなす溝底部２３ｎの下面までの高さＨ３は、支持部材４の載置部４ｂの上面から係合部４ｄの上面までの高さＨ４より十分に高く形成されている。
【００２８】
また、下胴縁２３の下支柱当接面２３ｃと溝内鉛直壁部２３ｋとの間隔Ｌ１は、支柱３の側面３ａと固定されている支持部材４の係合部４ｄの先端との間隔Ｌ２（図５）より僅かに広く形成されている。
【００２９】
フェンス本体２を支柱３に取り付ける場合には、各支柱３に支持部材４を予め取り付けておくとともに、仕切材２１には、上胴縁２２と下胴縁２３とを予め取り付けてフェンス本体２を形成しておく。
【００３０】
次に、図４、図５に示すように、フェンス本体２を、傾斜させた状態、より具体的には、フェンス本体２の上部が下部より外側に位置するように傾斜させた状態を維持しつつ、下胴縁２３の内端部２３ｇを支柱３と係合部４ｄとの間に挿入する。ここで、下胴縁２３の内端部２３ｇが、フェンス本体２の下部としての下胴縁２３が有し、支柱３と係合部４ｄとの間に挿入される挿入部に相当する。
【００３１】
下胴縁２３の内端部２３ｇを支柱３と係合部４ｄとの間に挿入するときには、傾斜させたフェンス本体２を傾斜させた状態を維持しつつ降下させる。このとき、下胴縁２３が有する内側下壁部２３ｈを、支柱３において支持部材４が固定されている側面３ａの、支持部材４より上側に当接させつつフェンス本体２を降下させると、フェンス本体２が支柱３に案内されるので容易に挿入することが可能である。また、傾斜させたフェンス本体２の内側下壁部２３ｈが支柱３の側面３ａから離れた状態でフェンス本体２を降下させた場合には、突起２３ｍと繋がる溝内傾斜壁部２３ｌに案内されて内端部２３ｇが支柱３と係合部４ｄとの間に挿入される。
【００３２】
フェンス本体２が傾斜し、下胴縁２３の内側下壁部２３ｈが支柱３の側面３ａに当接された状態では、下胴縁２３の内側下壁部２３ｈの内側面と突起２３ｍとの見込み方向における間隔Ｌ３は、支柱３の側面３ａと固定された支持部材４の係合部４ｄの先端との見込み方向における間隔Ｌ２より僅かに広く形成されている。このため、傾斜させたフェンス本体２を傾斜させた状態を維持しつつ降下させると、下胴縁２３の内側下壁部２３ｈが支柱３の側面３ａに当接された状態で、下胴縁２３の突起２３ｍが係合部４ｄと接触する。より具体的には、突起２３ｍの溝内傾斜壁部２３ｌから繋がる傾斜面と、係合部４ｄの先端の面取り部４ｈとが接触する。
【００３３】
そして、フェンス本体２を降下させて突起２３ｍの位置が下がることにより、係合部４ｄが突起２３ｍにより支柱３から離れる方向に押圧され、支柱３と係合部４ｄの先端との間隔Ｌ２が開く方向に支持部材４が撓み変形することにより、突起２３ｍが係合部４ｄの位置を通過する。
【００３４】
突起２３ｍが係合部４ｄの位置を通過し、フェンス本体２の下胴縁２３が支持部材４の載置部４ｂに載置されると、係合部４ｄの先端は、突起２３ｍの上に位置する溝内鉛直壁部２３ｋと見込み方向において間隔を空けて対向している。すなわち、内端部２３ｇは、フェンス本体２が支柱３に対して傾斜して載置部４ｂに載置された状態で係合部４ｄとの間に空隙Ｓを有している。図６においては、内側下壁部２３ｈが支柱３の側面３ａに当接されている状態を示しているので、内端部２３ｇと係合部４ｄとの間にのみ空隙Ｓが生じているが、フェンス本体２の傾斜角度により、内端部２３ｇと支柱３の側面３ａとの間にも空隙が生じる場合もある。
【００３５】
傾斜したフェンス本体２の下胴縁２３が載置部４ｂに載置された状態から、図３に示すようなフェンス本体２を支柱３に沿う状態に姿勢を起こすと、フェンス本体２は、下胴縁２３の内側下壁部２３ｈが支柱３の側面３ａから離れつつ下支柱当接面２３ｃが支柱３の側面３ａに当接されると共に内下面部２３ｉが載置部４ｂと対面して当該載置部４ｂに当接される。このとき、下胴縁２３の突起２３ｍが支持部材４の係合部４ｄを下方から押し上げつつ溝内鉛直壁部２３ｋが係合部４ｄを見込み方向外側に押圧することにより、下胴縁２３が支柱３と係合部４ｄとに挟持されフェンス本体２は支柱３に対して移動不能となる。
【００３６】
フェンス本体２の内下面部２３ｉを載置部４ｂに載置した後に、フェンス本体２の左右方向の位置を調整する場合には、フェンス本体２の上部を支柱３から離す方向に移動させて傾斜させ、図６に示すように係合部４ｄと突起２３ｍ及び溝内鉛直壁部２３ｋとの係合を解除し、係合部４ｄと突起２３ｍ及び溝内鉛直壁部２３ｋとの間に間隔を空けた後に、左右方向に移動させて位置決めし、再び、支柱３に沿うようにフェンス本体２の姿勢を起こす。
【００３７】
最後に、位置決めされたフェンス本体２の上胴縁２２に連結部材５を被せるように配置するとともに、上胴縁２２を支柱３側に引き寄せた状態で、連結部材５の掛け渡し部５ｂを支柱３の上面にビス止めしてフェンス本体２を支柱３に固定して、フェンス１が完成する。
【００３８】
本実施形態のフェンス１によれば、フェンス本体２は、支柱３に対して傾斜して支持部材４の載置部４ｂに載置された状態で、下胴縁２３が有する内端部２３ｇが、支柱３及び係合部４ｄの少なくともいずれか一方との間に空隙Ｓを有しているので、傾斜している状態では、内端部２３ｇを支柱３と係合部４ｄとの間に容易に挿入することが可能であり、また、支柱３に対して容易に移動させることが可能なので、支柱３に対する位置を容易に調整することが可能である。また、フェンス本体２を支柱３に沿わせることにより、フェンス本体２が載置部４ｂに載置された状態で内端部２３ｇが支柱３と係合部４ｄとに挟持されるので、フェンス本体２を支柱３に沿わせた位置で容易に固定することが可能である。このため、フェンス本体２を所望の位置に容易に取り付けることが可能なフェンス１を提供することが可能である。
【００３９】
また、フェンス本体２の下胴縁２３は、フェンス本体２が支柱３に沿った状態で、支柱３に当接される下支柱当接面２３ｃより下の部位の見込み方向の幅が、支柱３の側面３ａと固定された支持部材４の係合部４ｄの先端との間隔Ｌ２より狭いので、下支柱当接面２３ｃが支柱３に当接されるまでは、内端部２３ｇを支柱３の側面３ａと固定された支持部材４の係合部４ｄの先端との間に容易に挿入することが可能である。このため、支柱３に設けられた支持部材４上に容易に載置することが可能なフェンス本体２を提供することが可能である。
【００４０】
また、フェンス本体２の下胴縁２３は、下支柱当接面２３ｃより下の部位の見込み方向における幅が、下支柱当接面２３ｃから漸次狭くなる傾斜面をなしているので、フェンス本体２の上部が支柱３に近づくようにフェンス本体２を回動させて、フェンス本体２を傾斜状態から支柱３に沿う状態に、容易に姿勢を変えることが可能である。
【００４１】
上記実施形態においては、下支柱当接面２３ｃより下の部位の見込み方向における幅が、下支柱当接面２３ｃから漸次狭くなる傾斜面をなしている例について説明したが、下支柱当接面２３ｃより下の部位は、下支柱当接面２３ｃから漸次狭くなる曲面であっても構わない。
【００４２】
また、フェンス本体２の下胴縁２３が有する突起２３ｍは、フェンス本体２が支柱３に対して傾斜して下支柱当接面２３ｃが支柱３の側面３ａに当接された状態で、係合部４ｄより支柱３と反対側に突出して当該係合部４ｄと係合しており、フェンス本体２が支柱３に沿って載置部４ｂに載置された状態では係合部４ｄの下に位置している。このため、フェンス本体２が支柱３に沿って載置部４ｂに載置されるには、下胴縁２３の突起２３ｍを有する部位が、支柱３と係合部４ｄとの間を通過してフェンス本体２が降下しなければならない。フェンス本体２が降下する際には、突起２３ｍを有する部位が支柱３と係合部４ｄとの間を通過する際に負荷が生じるため、フェンス１の施工者は負荷が増大することにより突起２３ｍを有する部位が支柱３と係合部４ｄとの間を通過したことを認識することが可能である。このため、フェンス本体２をより確実に載置部４ｂに載置することが可能な、施工性に優れたフェンス１を提供することが可能である。
【００４３】
上記実施形態においては、フェンス本体２の下部をなす下胴縁２３に突起２３ｍが設けられている例について説明したが、図７に示すように、突起は設けられていなくともよい。この場合であっても、フェンス本体２を傾斜させた状態で係合部４ｄの上方から降下させて、フェンス本体２の内端部２３ｇを支柱３の側面３ａと係合部４ｄの先端との間に挿入し下胴縁２３を載置部４ｂに載置させた後に、フェンス本体２を支柱３に沿うように姿勢を起こすだけで、内端部２３ｇを支柱３と係合部４ｄとに挟持させ、フェンス本体２を支柱３に沿った位置で容易に支持することが可能である。また、フェンス本体２を支柱３に対して傾斜させ係合部４ｄと溝内壁部２３ｊとの係合を解除して、フェンス本体２と支柱３との相対位置を容易に調整することも可能である。
【００４４】
上記実施形態においては、フェンス本体２が支柱３に沿った状態で、支柱３に当接される支柱当接部を下支柱当接面とした例について説明したが、下胴縁２３の支柱当接部は、必ずしも平面でなくとも構わない。例えば、下胴縁２３の支柱側に突出したヒレ状の部位の端部や湾曲した突部など、フェンス本体２が支柱３に沿った状態で安定し、溝内壁部２３ｊとの間隔が、支柱３の側面３ａと支持部材４の係合部４ｄの先端との間隔Ｌ２より広くなるように形成されていれば構わない。
【００４５】
上記実施形態においては、仕切ユニットとして、仕切材２１を有する被支持体としてのフェンス本体２を有するフェンス１を例に挙げて説明したが、仕切ユニットはフェンスに限らず、例えば、バルコニーに設けられるパネル材、目隠し材などを備え、支持部材を介して支柱に支持される被支持体を有していれば構わない。
【００４６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  フェンス、２  フェンス本体、３  支柱、４  支持部材、４ｂ  載置部、
４ｄ  係合部、 ２３  下胴縁、２３ｃ  下支柱当接面、２３ｇ  内端部、
２３ｈ  内側下壁部、２３ｍ  突起、
Ｓ  空隙
【図１】
2018145736.tif 000003
【図２】
2018145736.tif 000004
【図３】
2018145736.tif 000005
【図４】
2018145736.tif 000006
【図５】
2018145736.tif 000007
【図６】
2018145736.tif 000008
【図７】
2018145736.tif 000009